(57)【要約】【課題】遊技者に効率よく振動を伝達し、演出効果を向上させた遊技機を提供する。【解決手段】遊技者が押下操作可能な演出操作装置２００を備えた遊技機であって、演出操作装置２００は、遊技者の押下操作を受け付ける受付部２３２を有し、受付部２３２が押下操作されると、押下方向に移動する押下操作体２３０と、押下操作体２３０に固定され、振動を発生させる振動発生体２４２と、を備え、押下操作体２３０が押下方向に移動自在に前枠に支持されている。【選択図】図３
2015181491.tif 000002
【特許請求の範囲】
【請求項１】
遊技者が押下操作可能な演出操作装置を備えた遊技機であって、
前記演出操作装置は、
遊技者の押下操作を受け付ける受付部を有し、該受付部が押下操作されると、押下方向に移動する押下操作体と、
前記押下操作体に固定され、振動を発生させる振動発生体と、
を備えたことを特徴とする遊技機。
【請求項２】
前記押下操作体は、
前記受付部に連結され、もしくは、該受付部と一体に構成されるとともに、前記振動発生体が固定される固定面を有する固定部と、
前記固定面から前記押下方向に突出する１または複数の突起部と、
を有し、
前記押下操作体が押下方向に所定距離移動すると、前記突起部に当接する当接部を備え、
前記突起部が前記当接部に当接したときに、前記固定面は、該当接部から離間していることを特徴とする請求項１に記載の遊技機。
【請求項３】
前記固定部は、前記受付部と別体で構成されるとともに、連結部を介して該固定部と該受付部とが連結されており、
前記押下操作体は、
前記振動発生体を収容するとともに、該振動発生体を前記固定面に固定する収容体と、
前記収容体から前記連結部に向かって延在する延在部と、
をさらに備えたことを特徴とする請求項２に記載の遊技機。
【発明の詳細な説明】
【技術分野】
【０００１】
本発明は、遊技者の押下操作を受け付ける演出操作装置を備えた遊技機に関する。
【背景技術】
【０００２】
従来、始動口に遊技球が入球したことを条件として大役抽選が行われ、この大役抽選により大当たりに当選すると、大入賞口が開放される大役遊技が実行可能となる遊技機が知られている。こうした遊技機においては、大役抽選の結果を報知する変動演出や、大役遊技中等に多様な演出を実行することで、遊技の興趣向上が図られている。
【０００３】
遊技の進行中に実行される演出として、例えば、遊技者が演出操作装置を押下操作すると、その押下操作に起因して、演出表示装置に所定の画像を表示したり、演出操作装置を振動させて当該振動を遊技者に伝達したりするものがある。
【０００４】
例えば、特許文献１には、遊技機本体に固定されるベース体と、ベース体に固定される振動発生体と、遊技者の押下操作により、ベース体に接近する方向に移動可能にベース体に設けられる押下操作体と、を備えた演出操作装置が記載されており、遊技者が押下操作体を押し込んで、振動発生体と押下操作体とを接触させることにより、振動を遊技者に伝達する構成が開示されている。
【先行技術文献】
【特許文献】
【０００５】
【特許文献１】特開２０１３−４８７０８号公報
【発明の概要】
【発明が解決しようとする課題】
【０００６】
しかし、従来の演出操作装置では、遊技機本体に固定されるベース体に振動発生体が設けられているため、遊技者が押下操作体を押し込まなければ、遊技者に振動を伝達することができない。したがって、押し込み力が弱いと、遊技者に十分に振動を伝達することができず、演出効果が発揮できないという課題があった。
【０００７】
本発明は、遊技者に効率よく振動を伝達することができる演出操作装置を備えた遊技機の提供を目的とする。
【課題を解決するための手段】
【０００８】
上記課題を解決するために、本発明の遊技機は、遊技者が押下操作可能な演出操作装置を備えた遊技機であって、前記演出操作装置は、遊技者の押下操作を受け付ける受付部を有し、該受付部が押下操作されると、押下方向に移動する押下操作体と、前記押下操作体に固定され、振動を発生させる振動発生体と、を備えたことを特徴とする。
【０００９】
また、前記押下操作体は、前記受付部に連結され、もしくは、該受付部と一体に構成されるとともに、前記振動発生体が固定される固定面を有する固定部と、前記固定面から前記押下方向に突出する１または複数の突起部と、を有し、前記押下操作体が押下方向に所定距離移動すると、前記突起部に当接する当接部を備え、前記突起部が前記当接部に当接したときに、前記固定面は、該当接部から離間しているとしてもよい。
【００１０】
また、前記固定部は、前記受付部と別体で構成されるとともに、連結部を介して該固定部と該受付部とが連結されており、前記押下操作体は、前記振動発生体を収容するとともに、該振動発生体を前記固定面に固定する収容体と、前記収容体から前記連結部に向かって延在する延在部と、をさらに備えるとしてもよい。
【発明の効果】
【００１１】
本発明によれば、遊技者に効率よく振動を伝達することができる。
【図面の簡単な説明】
【００１２】
【図１】扉が開放された状態を示す遊技機の斜視図である。
【図２】遊技機の正面図である。
【図３】演出操作装置の具体的な構成を説明するための図である。
【図４】固定部および振動発生ユニットの底面図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１５】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１６】
図２は、遊技機１００の正面図である。この図に示すように、前枠１０６における遊技機１００の幅方向略中央位置には、遊技者の押下操作を受け付ける演出操作装置２００が、設けられている。この演出操作装置２００は、操作有効時間内に遊技者の操作を受け付けると、当該操作に応じて、さまざまな演出を実行する。
【００１７】
図３は、演出操作装置２００の具体的な構成を説明するための図であり、図２のＩＩＩ線における断面図である。なお、図３（ａ）は、初期位置（押下前）の演出操作装置２００を、図３（ｂ）は、押下後の演出操作装置２００を示す。
【００１８】
図３に示すように、演出操作装置２００は、ベース体２１０を備えており、ベース体２１０が前枠１０６に固定される。ベース体２１０は、略円板形状であり前枠１０６に固定される当接部２１２と、当接部２１２の外周縁から立設した枠部２１４とを含んで構成される。
【００１９】
当接部２１２には、ネジユニット２０２によって、略円板形状の表示ユニット２２０が螺設されている。ネジユニット２０２は、ネジ２０２ａ、２０２ｂとスペーサ２０２ｃとを含んで構成され、ネジ２０２ａが表示ユニット２２０をスペーサ２０２ｃに螺設し、ネジ２０２ｂが当接部２１２をスペーサ２０２ｃに螺設することで、ベース体２１０の当接部２１２および表示ユニット２２０がスペーサ２０２ｃを介して固定されることとなる。なお、本実施形態において、ネジユニット２０２は、当接部２１２および表示ユニット２２０における中心からの距離が同一の部分、すなわち周方向に複数（ここでは３つ）設けられている。
【００２０】
表示ユニット２２０は、ＬＥＤ等のランプによるドット表示器２２２と、ドット表示器２２２に螺設されるとともに、ドット表示器２２２を点灯制御する制御基板２２４と、制御基板２２４に螺設されるとともに、ネジユニット２０２によってベース体２１０の当接部２１２に固定される表示基体２２６とを含んで構成される。また、表示基体２２６の底面（表示基体２２６におけるベース体２１０の当接部２１２側に配される面）には、フォトセンサ２２８（図３（ｂ）参照）が設けられている。
【００２１】
押下操作体２３０は、遊技者の押下操作を受け付ける受付部２３２と、受付部２３２に連結された固定部２３４と、突起部２３６を含んで構成され、受付部２３２が押下操作されると、押下操作体２３０は、押下方向（図３中、白抜き矢印で示す）に移動する。本実施形態において、押下操作体２３０は、遊技者の押下操作を受け付けると、ベース体２１０の当接部２１２に接近する方向に移動し、遊技者による押下操作が解除されると、ベース体２１０の当接部２１２と離隔する方向に移動する。
【００２２】
また、本実施形態では、ベース体２１０の枠部２１４によって形成される囲繞空間に、押下操作体２３０の一部（固定部２３４、突起部２３６、受付部２３２の一部）が配されている。
【００２３】
受付部２３２は、略円筒形状であり、樹脂またはガラスで構成され、遊技者の押下操作を受け付ける受付面２３２ａを有する。受付面２３２ａは、ドット表示器２２２の上面に配され、受付面２３２ａを介して、ドット表示器２２２が視認可能となっている。また、受付部２３２は、外周縁に設けられた連結部２３２ｂと、固定部２３４の外周縁に設けられた連結部２３４ａとを介して、固定部２３４に連結されている。
【００２４】
固定部２３４は、略円筒形状であり、受付部２３２とともに表示ユニット２２０を内包する。固定部２３４は、受付部２３２より押下方向に位置し、ベース体２１０の当接部２１２と対向する固定面２３４ｂを有する。また、固定部２３４には、固定面２３４ｂを貫通する貫通孔２３４ｃが設けられている。貫通孔２３４ｃには、ベース体２１０と表示ユニット２２０とを連結するネジユニット２０２のスペーサ２０２ｃが摺動自在に挿通されている。
【００２５】
また、固定面２３４ｂと、当接部２１２との間には、スペーサ２０２ｃを囲繞するように、コイルバネ２０４が設けられている。したがって、押下操作体２３０は、ベース体２１０の当接部２１２および表示ユニット２２０の上面（ドット表示器２２２）に接近する方向、または、離隔する方向に相対移動可能に設けられる。
【００２６】
突起部２３６は、固定面２３４ｂから押下方向に突出した部材、すなわち、ベース体２１０の当接部２１２側に突出した部材である。本実施形態において、突起部２３６は、固定面２３４ｂにおける中心からの距離が同一の部分、すなわち周方向に複数（ここでは３つ）設けられている。突起部２３６の機能については、後に詳述する。
【００２７】
振動発生ユニット２４０は、振動発生体２４２と、収容ブラケット２４４とを含んで構成される。振動発生体２４２は、例えば、偏心モータで構成され、遊技機１００内部に設けられた制御基板から電力供給を受けて、振動を発生させる。収容ブラケット２４４は、振動発生体２４２を収容するとともに、固定部２３４の固定面２３４ｂの中心に固定され、振動発生体２４２を固定面２３４ｂに固定する。
【００２８】
このように、振動発生体２４２を押下操作体２３０（固定面２３４ｂ）に固定することによって、振動発生体２４２により振動を発生させると、遊技者が押下操作体２３０を押し込まずとも、押下操作体２３０に触れただけで、遊技者に振動を伝達することができ、演出効果の向上を図ることが可能となる。
【００２９】
続いて、演出操作装置２００における押下操作体２３０の位置変位について説明する。図３（ａ）に示す、初期位置において、遊技者の押下操作により押下操作体２３０が押し込まれると、押下操作体２３０は、コイルバネ２０４の付勢力に抗して、押下方向（ベース体２１０の当接部２１２に接近する方向）に移動する。そして、図３（ｂ）に示すように、押下操作体２３０が押下方向に所定距離移動すると、固定部２３４に設けられた突起部２３６がベース体２１０の当接部２１２に当接して、当接部２１２によって押下操作体２３０のこれ以上の移動が規制されることとなる。
【００３０】
このように、押下操作体２３０が押し込まれると、フォトセンサ２２８によって、遊技者による押下操作が検知されることとなる。具体的に説明すると、フォトセンサ２２８は、発光部と受光部とを含んで構成され、発光部と受光部との間には、所定の離隔空間が形成されている。
【００３１】
初期状態においては、固定部２３４の上面に形成された遮光部２３４ｄが離隔空間に位置することとなり、発光部から受光部への導光を遮蔽している。そして、押下操作体２３０の押し込みに伴い、遮光部２３４ｄが押し下げられると、遮光部２３４ｄは離隔空間から退避して、発光部から受光部へ導光されることになる。こうして、発光部が照射した光を受光部が受光することで、フォトセンサ２２８は、遊技者による押下操作を検知することとなる。そして、遊技者の押下操作が解除されると、コイルバネ２０４の付勢力によって、押下操作体２３０は、押下方向と逆方向（ベース体２１０の当接部２１２と離隔する方向）に移動して初期位置に戻ることとなる。そうすると、遮光部２３４ｄが、発光部と受光部との間の離隔空間に移動することとなり、発光部から受光部への導光を遮蔽することとなる。
【００３２】
続いて、突起部２３６の機能について説明する。図４（ａ）は、固定部２３４および振動発生ユニット２４０の底面図であり、図４（ｂ）は、振動発生ユニット２４０の底面図である。図４に示すように、固定面２３４ｂの連結部２３４ａ近傍には、突起部２３６が、周方向に概ね等間隔で、互いに離隔して複数（ここでは、３つ）設けられている。
【００３３】
このように、突起部２３６を設ける構成により、突起部２３６を設けない構成と比較して、突起部２３６がベース体２１０の当接部２１２に当接したときに、固定面２３４ｂは、ベース体２１０から離間することとなり、ベース体２１０と押下操作体２３０との接触面積を小さくすることができる。固定部２３４（固定面２３４ｂ）とベース体２１０との接触は、振動を抑制する働きをもたらすため、固定部２３４とベース体２１０との接触面積が広いと、振動が抑制されてしまい、受付部２３２を介して遊技者に伝達される振動が小さくなってしまう。
【００３４】
そこで、突起部２３６を設けて、ベース体２１０との接触面積を小さくすることにより振動の抑制を低減することができ、押下操作体２３０が押し込まれて突起部２３６とベース体２１０とが当接した場合であっても、遊技者に効率よく振動を伝達することが可能となる。
【００３５】
また、図４に示すように、収容ブラケット２４４は、振動発生体２４２を収容するとともに、振動発生体２４２を固定面２３４ｂに固定する収容体２４４ａと、収容体２４４ａから固定面２３４ｂの連結部２３４ａに向かって延在する延在部２４４ｂとが一体形成されている。本実施形態において、延在部２４４ｂは、２つの突起部２３６の間に配される。具体的に説明すると、ここでは、突起部２３６が３つ設けられているため、延在部２４４ｂも３つ配することができる。
【００３６】
上述したように、固定部２３４は、連結部２３４ａによって受付部２３２と連結されている。したがって、振動発生体２４２を収容する収容体２４４ａから連結部２３４ａ近傍まで延在する延在部２４４ｂを備える構成により、連結部２３４ａを介して、遊技者の押下操作を受け付ける受付部２３２に、振動を効率よく伝達することができる。
【００３７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３８】
例えば、上述した実施形態において、押下操作体２３０が突起部２３６を備え、押下操作体２３０が押し込まれたときに、突起部２３６とベース体２１０とが当接する構成について説明したが、押下操作体２３０に振動発生体２４２が固定されていればよく、突起部２３６は、必須の構成ではない。
【００３９】
また、上記実施形態において、押下操作体２３０が突起部２３６を３つ備える構成について説明したが、突起部２３６の数に限定はなく、１つであってもよいし、２つであってもよいし、４つ以上であってもよい。
【００４０】
また、上記実施形態において、固定部２３４が、受付部２３２と別体で構成される場合を例に挙げて説明したが、固定部２３４は、受付部２３２と一体に構成されるとしてもよい。
【００４１】
また、上記実施形態において、当接部２１２が前枠１０６と別体で構成される場合を例に挙げて説明したが、当接部２１２は前枠１０６の一部であってもよい。
【００４２】
また、上記実施形態において、収容体２４４ａと延在部２４４ｂとが一体形成される場合を例に挙げて説明したが、収容体２４４ａと延在部２４４ｂとは、別体で構成されてもよい。また、収容ブラケット２４４が延在部２４４ｂを備える構成について説明したが、固定部２３４が延在部を備えるとしてもよい。さらに、演出操作装置２００は、少なくとも、押下操作体２３０と、押下操作体２３０に固定される振動発生体２４２を備えていればよく、収容体２４４ａや延在部２４４ｂを備えずともよい。
【００４３】
また、上記実施形態において、演出操作装置２００が前枠１０６に設けられる場合を例に挙げて説明したが、中枠１０４や外枠１０２に設けられてもよい。
【符号の説明】
【００４４】
１００  遊技機
１０６  前枠
２００  演出操作装置
２１２  当接部
２３０  押下操作体
２３２  受付部
２３４  固定部
２３４ａ  連結部
２３４ｂ  固定面
２３６  突起部
２４２  振動発生体
２４４ａ  収容体
２４４ｂ  延在部
【図１】
2015181491.tif 000003
【図２】
2015181491.tif 000004
【図３】
2015181491.tif 000005
【図４】
2015181491.tif 000006